(57)【特許請求の範囲】
【請求項１】
物体側から順に、正の屈折力を持つ第１レンズ群、負の屈折力を持つ第２レンズ群、正の屈折力を持つ第３レンズ群、及び正の屈折力を持つ第４レンズ群から構成される高変倍ズームレンズ系において、
短焦点距離端から長焦点距離端への変倍に際し、第１レンズ群と第２レンズ群のレンズ群間隔が増加し、第２レンズ群と第３レンズ群のレンズ群間隔が減少し、第３レンズ群と第４レンズ群のレンズ群間隔が増加するように、少なくとも第１レンズ群ないし第３レンズ群が光軸方向に移動し、かつ第１レンズ群の変倍移動量が第３レンズ群の変倍移動量よりも大きいこと、
第１レンズ群が、物体側から順に、負レンズ、正レンズ、及び正レンズの３枚のレンズで構成されること、
第１レンズ群中の負レンズの像側の面の曲率半径の絶対値が、第１レンズ群中の物体側の正レンズの物体側の面の曲率半径の絶対値よりも小さいこと、及び
次の条件式（１）を満足することを特徴とする高変倍ズームレンズ系。
（１）１．９５＜ｎ１１
但し、
ｎ１１：第１レンズ群中の負レンズのｄ線に対する屈折率。
【請求項２】
請求項１記載の高変倍ズームレンズ系において、次の条件式（２）を満足する高変倍ズームレンズ系。
（２）ν１２＞９０
但し、
ν１２：第１レンズ群中の物体側の正レンズのｄ線に対するアッベ数。
【請求項３】
請求項１記載の高変倍ズームレンズ系において、次の条件式（３）を満足する高変倍ズームレンズ系。
（３）−０．３＜ＤＷ＜−０．１
但し、
ＤＷ：短焦点距離端における対角像高（最大像高）の歪曲収差。
【請求項４】
請求項３記載の高変倍ズームレンズ系と、この高変倍ズームレンズ系による像を結像させる電子撮像素子とを有し、この電子撮像素子で光電変換した画像データを画像処理して歪曲収差を補正する過程を有する電子撮像装置。
【発明の詳細な説明】
【技術分野】
【０００１】
本発明は、半画角３５度程度の広角域を含む主にイメージセンサ用の撮像光学系として好適な高変倍ズームレンズ系及びこれを用いた電子撮像装置に関する。
【背景技術】
【０００２】
近年、コンパクトデジタルカメラにおいて広角域を含んだ高変倍のズームレンズ系のニーズが高まっている。一方で画素ピッチの微細化が進み、光学系には高解像度であることが要求される。主にコンパクトカメラ用の撮像レンズは、収納状態で各群の空気間隔を短縮したいわゆる沈胴機構を採用しカメラの薄型化を図るものが多い。このタイプの機構に適したレンズタイプとしては、各レンズ群の群厚が薄いことに加えて、前玉径が小さいこと、更に光学系の全長に関しても機構上の制約を考慮し設計を行う必要がある。
【先行技術文献】
【特許文献】
【０００３】
【特許文献１】特開２００６−２３５２９号公報
【特許文献２】特開２００６−３０８９５７号公報
【特許文献３】特開２００８−１１２０１３号公報
【発明の概要】
【発明が解決しようとする課題】
【０００４】
高変倍コンパクトカメラ用のズームレンズ系としては、例えば特許文献１及び特許文献２記載のズームレンズ系が知られており、比較的レンズ枚数が少なく小型化が達成されている。しかし、特許文献１のズームレンズ系は変倍比（ズーム比）が５倍程度、短焦点距離端の画角も６１度と、十分な広画角化及び高変倍比を達成できていない。また特許文献２のズームレンズ系は短焦点距離端の画角は７８度程度と広角化が達成されているが、変倍比が４〜７倍程度と満足できる値ではない。比較的コンパクトで広角化および高変倍化が達成されたものとして特許文献３のズームレンズ系があるが、非点収差や色収差が大きく、高画素化に対応したズームレンズ系としては満足できるレベルではない。
【０００５】
したがって本発明は、変倍比（ズーム比）が１５倍以上で、短焦点距離端で７０度以上の画角を有し、前玉径は小さく短焦点距離端のレンズ全長が短い沈胴式カメラに最適な高変倍ズームレンズ系及びこれを用いた電子撮像装置を提供することを目的とする。
【課題を解決するための手段】
【０００６】
本発明の高変倍ズームレンズ系は、物体側から順に、正の屈折力を持つ第１レンズ群、負の屈折力を持つ第２レンズ群、正の屈折力を持つ第３レンズ群、及び正の屈折力を持つ第４レンズ群から構成される高変倍ズームレンズ系において、短焦点距離端から長焦点距離端への変倍に際し、第１レンズ群と第２レンズ群のレンズ群間隔が増加し、第２レンズ群と第３レンズ群のレンズ群間隔が減少し、第３レンズ群と第４レンズ群のレンズ群間隔が増加するように、少なくとも第１レンズ群ないし第３レンズ群が光軸方向に移動し、かつ第１レンズ群の変倍移動量が第３レンズ群の変倍移動量よりも大きいこと、第１レンズ群が、物体側から順に、負レンズ、正レンズ、及び正レンズの３枚のレンズで構成されること、第１レンズ群中の負レンズの像側の面の曲率半径の絶対値が、第１レンズ群中の物体側の正レンズの物体側の面の曲率半径の絶対値よりも小さいこと、及び次の条件式（１）を満足することを特徴としている。
（１）１．９５＜ｎ１１
但し、
ｎ１１：第１レンズ群中の負レンズのｄ線に対する屈折率、
である。
【０００７】
本発明の高変倍ズームレンズ系は、さらに次の条件式（２）を満足することが好ましい。
（２）ν１２＞９０
但し、
ν１２：第１レンズ群中の物体側の正レンズのｄ線に対するアッベ数、
である。
【０００８】
本発明の高変倍ズームレンズ系は、さらに次の条件式（３）を満足することが好ましい。
（３）−０．３＜ＤＷ＜−０．１
但し、
ＤＷ：短焦点距離端における対角像高（最大像高）の歪曲収差、
である。
【０００９】
本発明は、電子撮像装置の態様では、以上の構成の高変倍ズームレンズ系と、この高変倍ズームレンズ系による像を結像させる電子撮像素子とを有し、この電子撮像素子で光電変換した画像データを画像処理して歪曲収差を補正する過程を備えている。
【発明の効果】
【００１０】
本発明によれば、変倍比（ズーム比）が１５倍以上で、短焦点距離端で７０度以上の画角を有し、前玉径は小さく短焦点距離端のレンズ全長が短い沈胴式カメラに最適な高変倍ズームレンズ系及びこれを用いた電子撮像装置を提供することができる。
【図面の簡単な説明】
【００１１】
【図１】本発明による高変倍ズームレンズ系の数値実施例１の長焦点距離端における無限遠合焦時のレンズ構成図である。
【図２】図１の構成における諸収差図である。
【図３】図１の構成における横収差図である。
【図４】同数値実施例１の中間焦点距離における無限遠合焦時のレンズ構成図である。
【図５】図４の構成における諸収差図である。
【図６】図４の構成における横収差図である。
【図７】同数値実施例１の短焦点距離端における無限遠合焦時のレンズ構成図である。
【図８】図７の構成における諸収差図である。
【図９】図７の構成における横収差図である。
【図１０】本発明による高変倍ズームレンズ系の数値実施例２の長焦点距離端における無限遠合焦時のレンズ構成図である。
【図１１】図１０の構成における諸収差図である。
【図１２】図１０の構成における横収差図である。
【図１３】同数値実施例２の中間焦点距離における無限遠合焦時のレンズ構成図である。
【図１４】図１３の構成における諸収差図である。
【図１５】図１３の構成における横収差図である。
【図１６】同数値実施例２の短焦点距離端における無限遠合焦時のレンズ構成図である。
【図１７】図１６の構成における諸収差図である。
【図１８】図１６の構成における横収差図である。
【図１９】本発明による高変倍ズームレンズ系の数値実施例３の長焦点距離端における無限遠合焦時のレンズ構成図である。
【図２０】図１９の構成における諸収差図である。
【図２１】図１９の構成における横収差図である。
【図２２】同数値実施例３の中間焦点距離における無限遠合焦時のレンズ構成図である。
【図２３】図２２の構成における諸収差図である。
【図２４】図２２の構成における横収差図である。
【図２５】同数値実施例３の短焦点距離端における無限遠合焦時のレンズ構成図である。
【図２６】図２５の構成における諸収差図である。
【図２７】図２５の構成における横収差図である。
【図２８】本発明による高変倍ズームレンズ系の数値実施例４の長焦点距離端における無限遠合焦時のレンズ構成図である。
【図２９】図２８の構成における諸収差図である。
【図３０】図２８の構成における横収差図である。
【図３１】同数値実施例４の中間焦点距離における無限遠合焦時のレンズ構成図である。
【図３２】図３１の構成における諸収差図である。
【図３３】図３１の構成における横収差図である。
【図３４】同数値実施例４の短焦点距離端における無限遠合焦時のレンズ構成図である。
【図３５】図３４の構成における諸収差図である。
【図３６】図３４の構成における横収差図である。
【図３７】本発明による高変倍ズームレンズ系の数値実施例５の長焦点距離端における無限遠合焦時のレンズ構成図である。
【図３８】図３７の構成における諸収差図である。
【図３９】図３７の構成における横収差図である。
【図４０】同数値実施例５の中間焦点距離における無限遠合焦時のレンズ構成図である。
【図４１】図４０の構成における諸収差図である。
【図４２】図４０の構成における横収差図である。
【図４３】同数値実施例５の短焦点距離端における無限遠合焦時のレンズ構成図である。
【図４４】図４３の構成における諸収差図である。
【図４５】図４３の構成における横収差図である。
【図４６】本発明による高変倍ズームレンズ系のズーム軌跡を示す簡易移動図である。
【発明を実施するための形態】
【００１２】
本実施の形態の高変倍ズームレンズ系は、図４６の簡易移動図に示すように、
物体側から順に、正の屈折力を持つ第１レンズ群Ｇ１、負の屈折力を持つ第２レンズ群Ｇ２、正の屈折力を持つ第３レンズ群Ｇ３、及び正の屈折力を持つ第４レンズ群Ｇ４から構成されている。第２レンズ群Ｇ２と第３レンズ群Ｇ３の間に位置する絞りＳは、第３レンズ群Ｇ３と一体に移動する。フォーカシングは第４レンズ群Ｇ４で行う。Ｉは像面である。
【００１３】
短焦点距離端（Ｗ）から長焦点距離端（Ｔ）への変倍（ズーミング）に際し、第１レンズ群Ｇ１と第２レンズ群Ｇ２のレンズ群間隔が増加し、第２レンズ群Ｇ２と第３レンズ群Ｇ３のレンズ群間隔が減少し、第３レンズ群Ｇ３と第４レンズ群Ｇ４のレンズ群間隔が増加するように、第１レンズ群Ｇ１ないし第４レンズ群Ｇ４の全てのレンズが光軸方向に移動する。より具体的には、短焦点距離端（Ｗ）から長焦点距離端（Ｔ）への変倍に際し、第１レンズ群Ｇ１は単調に物体側に移動し、第２レンズ群Ｇ２は像側に凸の移動軌跡を描きながら全体として像側に移動し、第３レンズ群Ｇ３は単調に物体側に移動し、第４レンズ群は一旦物体側に移動してから像側に移動する。第１レンズ群Ｇ１の変倍移動量（物体側への繰り出し量）は、第３レンズ群Ｇ３の変倍移動量（物体側への繰り出し量）よりも大きい。尚、第２レンズ群の移動軌跡は図示したものに限定されず、例えば、物体側に凸の移動軌跡を描きながら光軸方向に移動する態様、Ｓ字の移動軌跡を描きながら光軸方向に移動する態様、さらには光軸方向に固定（光軸方向に移動しない）の態様など種々の態様を採ることができる。但し、第２レンズ群の変倍移動量は、他のレンズ群の変倍移動量と比べて相対的に少ない。また第４レンズ群は、光軸方向に固定（光軸方向に移動しない）態様としてもよい。
【００１４】
第１レンズ群Ｇ１は、全数値実施例１−５を通じて、物体側から順に、負レンズ１１、正レンズ１２、及び正レンズ１３の３枚のレンズで構成される。
【００１５】
第２レンズ群Ｇ２は、全数値実施例１−５を通じて、物体側から順に、負レンズ２１、負レンズ２２、及び正レンズ２３の３枚のレンズで構成される。負レンズ２１は、数値実施例１−３では球面レンズであり、数値実施例４−５では、その物体側の面が非球面の非球面レンズである。正レンズ２３は、その両面が非球面の非球面レンズである。
【００１６】
第３レンズ群Ｇ３は、数値実施例１−３では、物体側から順に、正レンズ３１、物体側から順に位置する正レンズ３２と負レンズ３３の接合レンズ、及び負レンズ３４の４枚のレンズで構成される。最も物体側の正レンズ３１は、その両面が非球面の非球面レンズである。
第３レンズ群Ｇ３は、数値実施例４−５では、物体側から順に、正レンズ３１’及び物体側から順に位置する正レンズ３２’と負レンズ３３’の接合レンズの３枚のレンズで構成される。最も物体側の正レンズ３１’ は、その両面が非球面の非球面レンズである。
【００１７】
第４レンズ群Ｇ４は、全数値実施例１−５を通じて、物体側から順に、正レンズ４１、及び負レンズ４２の２枚のレンズで構成される。正レンズ４１は、その物体側の面が非球面の非球面レンズである。負レンズ４２は、その両面が非球面の非球面レンズである。近距離性能をある程度犠牲にすれば第４レンズ群は正レンズ１枚でも構成可能である。
【００１８】
多段鏡筒を用いた沈胴式ズームレンズを搭載したカメラを小型化するためには、最も物体側に位置する第１レンズ群の細径化及びレンズ全長の短縮化が重要である。各レンズ群の厚さも薄いことが求められている。ズーム移動群を動かすメカ構造の簡素化も必要となる。一般的にはズームレンズ群の数を少なくすればメカ構成が簡単になるが、高変倍化を達成するのが困難となる。また、レンズ系の小型化や群厚を小さくするために構成枚数を削減することは、収差補正の難易度の増大に繋がる。小型化を図りながら全変倍範囲に渡り諸収差を良好に補正するためには、適切な各レンズ群の屈折力配置やレンズ構成が必要となる。
【００１９】
本実施形態の高変倍ズームレンズ系は、正レンズ群先行型のレンズ系であり、コンパクトカメラによく使われる負レンズ先行型のズームレンズ系に比べて高変倍化が図れる利点がある。しかし前玉径が大きくなりやすいという欠点があり、多段鏡筒を用いて収納させても径方向に大きくなり、コンパクトカメラに搭載できる大きさではなくなってしまうという問題がある。そこで本実施形態では、短焦点距離端から長焦点距離端への変倍に際して第１レンズ群を第３レンズ群よりも大きく移動させる（物体側に繰り出す）ことで、第２レンズ群と第３レンズ群の移動自由度を増大させ、変倍割合を最適にすることを可能としている。例えば第１レンズ群が固定であるとすると、第２レンズ群の変倍負担が増え、結果的に第１レンズ群の径が大きくなりやすい。
【００２０】
カメラ非使用時に携帯性を高めるために多段鏡筒を用いてレンズ群間隔を短縮して収納する、いわゆる沈胴式ズームレンズ系においては、各レンズ群の厚さとレンズ全長を短くすることが必要となる。正レンズ群先行型の高変倍ズームレンズ系においては、第１レンズ群の正の屈折力を強くすることで長焦点距離端でのレンズ全長を短くすることができるので、本実施形態の高変倍ズームレンズ系は、第１レンズ群を、物体側から順に、負レンズ、正レンズ、及び正レンズの３枚のレンズで構成している。
ところが、このように第１レンズ群を負正正の３枚構成にすると、第１レンズ群厚および第１レンズ群径が大きくなりやすい。それを防ぐために本実施形態の高変倍ズームレンズ系では、第１レンズ群中の負レンズ（第１レンズ）の像側の面の曲率半径の絶対値を、第１レンズ群中の物体側の正レンズ（第２レンズ）の物体側の面の曲率半径の絶対値よりも小さく設定している。これにより、第１レンズ群中の負レンズ（第１レンズ）で十分な色収差補正ができ、第１レンズ群中の物体側の正レンズ（第２レンズ）と像側の正レンズ（第３レンズ）の正の屈折力を均等にすることが可能となり、結果的に第１レンズ群厚を薄くすることができる。
第１レンズ群中の負レンズ（第１レンズ）の像側の面の曲率半径の絶対値が、第１レンズ群中の物体側の正レンズ（第２レンズ）の物体側の面の曲率半径の絶対値と同等またはそれより大きくなった場合、第１レンズ群中の物体側の正レンズ（第２レンズ）が周縁部の厚さ確保のために厚くなり、好ましくない。
【００２１】
条件式（１）は、第１レンズ群中の負レンズ（第１レンズ）のｄ線に対する屈折率を規定したものであり、第１レンズ群の厚さ及び外径を小さくするための条件式である。
条件式（１）の下限を超えると、第１レンズ群の厚さ及び外径が大きくなり、コンパクトカメラ用の撮影レンズとしては不適となる。
【００２２】
条件式（２）は、第１レンズ群中の物体側の正レンズのｄ線に対するアッベ数を規定しており、色収差を良好に補正するための条件式、特に小型化を図った高変倍ズームレンズ系において主に長焦点距離端で発生しやすい軸上色収差を小さくするための条件式である。前述したように長焦点距離端でのレンズ全長を短くするためには第１レンズ群の正の屈折力を強くする必要があるが、そうすると色収差が発生しやすくなる。そのため第１レンズ群中の物体側の正レンズ（第２レンズ）は、条件式（２）の範囲を満足する硝材を使うことが必要となる。
条件式（２）の範囲外の硝材で第１レンズ群中の物体側の正レンズ（第２レンズ）を構成すると、色収差（軸上色収差）を良好に補正することができない。
【００２３】
条件式（３）は、本発明の高変倍ズームレンズ系が有するディストーション（歪曲収差）の大きさを規定している。
ディストーションDがある場合、像高Yと焦点距離fと半画角Wには以下の関係がある。
Y＝f*tan W（1+D）
例えば焦点距離・画角が一定とすると、負（樽型）のディストーションを持つ場合は必要な像高は小さくなる。本実施形態のような正レンズ群先行型のズームレンズ系の場合、ディストーションを小さく補正しつつ広角化を図ろうとすると前玉径の増大を招きやすい（ディストーション補正のためには前玉径を大きくしなければならない）という問題があるが、短焦点距離端及びその近傍において負のディストーションをある程度出すことで前玉径の増大を防ぐことができる。そこで、条件式（３）を満足するようにある程度のディストーションを残すことで、前玉径を大きくすることなく広角で高倍率なズームレンズ系を得ることができる。
条件式（３）の上限を超えると、像面の周辺の解像には有利であるが、広角化と同時に歪曲収差を補正しようとすると、前玉径を小さく抑える効果が小さくなる。
条件式（３）の下限を超えると、ディストーションを画像補正する際の解像力劣化が大きくなり好ましくない。
【実施例】
【００２４】
次に具体的な数値実施例を示す。以下の数値実施例は、本発明の高変倍ズームレンズ系をコンパクトデジタルカメラに用いる場合に対応している。諸収差図及び横収差図並びに表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、rは曲率半径、ｄはレンズ厚またはレンズ間隔、N(d)はｄ線に対する屈折率、νｄはｄ線に対するアッベ数、「E-a」は「×10-a」を示す。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数）
【００２５】
［数値実施例１］
図１〜図９と表１〜表４は、本発明による高変倍ズームレンズ系の数値実施例１を示している。図１は長焦点距離端における無限遠合焦時のレンズ構成図、図２はその諸収差図、図３はその横収差図であり、図４は中間焦点距離における無限遠合焦時のレンズ構成図、図５はその諸収差図、図６はその横収差図であり、図７は短焦点距離端における無限遠合焦時のレンズ構成図、図８はその諸収差図、図９はその横収差図である。表１は面データ、表２は各種データ、表３は非球面データ、表４はレンズ群データである。
【００２６】
本数値実施例１の高変倍ズームレンズ系は、物体側から順に、正の屈折力を持つ第１レンズ群Ｇ１、負の屈折力を持つ第２レンズ群Ｇ２、正の屈折力を持つ第３レンズ群Ｇ３、及び正の屈折力を持つ第４レンズ群Ｇ４から構成されている。第４レンズ群Ｇ４は、フォーカシング時に移動するフォーカスレンズ群である（無限遠物体から有限距離物体へ合焦させるに際し第４レンズ群を物体側に繰り出してフォーカシングを行う）。
【００２７】
第１レンズ群Ｇ１（面番号１から６）は、物体側から順に、物体側に凸の負メニスカスレンズ１１、物体側に凸の正メニスカスレンズ１２、及び物体側に凸の正メニスカスレンズ１３からなる。
【００２８】
第２レンズ群Ｇ２（面番号７から１２）は、物体側から順に、物体側に凸の負メニスカスレンズ２１、両凹負レンズ２２、及び両凸正レンズ２３からなる。両凸正レンズ２３は、その両面が非球面の非球面レンズである。
【００２９】
第３レンズ群Ｇ３（面番号１４から２０）は、物体側から順に、両凸正レンズ３１、物体側から順に位置する両凸正レンズ３２と像側に凸の負メニスカスレンズ３３の接合レンズ、及び物体側に凸の負メニスカスレンズ３４からなる。両凸正レンズ３１は、その両面が非球面の非球面レンズである。第２レンズ群Ｇ２と第３レンズ群Ｇ３の間に位置する絞りＳ（面番号１３）は、第３レンズ群Ｇ３と一体に移動する。
【００３０】
第４レンズ群Ｇ４（面番号２１から２４）は、物体側から順に、両凸正レンズ４１、及び像側に凸の負メニスカスレンズ４２からなる。両凸正レンズ４１は、その両面が非球面の非球面レンズである。負メニスカスレンズ４２は、その物体側の面が非球面の非球面レンズである。第４レンズ群Ｇ４（負メニスカスレンズ４２）の後方（像面Ｉとの間）には、光学フィルタＯＰ（面番号２５から２６）とカバーガラスＣＧ（面番号２７から２８）が配置されている。
【００３１】
（表１）
面データ
面番号          r          d          N(d)        νｄ
1            34.605      0.900      2.00100       29.1
2            24.193      0.200
3            24.577      3.300      1.43500       95.0
4          1738.451      0.100
5            25.784      2.650      1.59282       68.6
6           173.956        d6
7            98.562      0.700      1.88300       40.8
8             5.650      2.600
9           -18.251      0.700      1.72916       54.7
10            7.819      0.100
11*           7.231      1.920      1.82115       24.1
12*       -1000.000       d12
13絞           ∞        0.600
14*           8.257      1.280      1.59201       67.0
15*         -33.929      0.100
16            6.125      1.600      1.48749       70.4
17          -12.378      0.650      1.90366       31.3
18          -26.434      0.100
19           10.270      0.600      1.91082       35.2
20            4.195       d20
21*          12.255      2.460      1.54358       55.7
22*         -13.877      0.100
23*         -13.628      0.700      1.60641       27.2
24         -145.412       d24
25             ∞        0.300      1.51680       64.2
26             ∞        0.560
27             ∞        0.500      1.51680       64.2
28             ∞          -
＊は回転対称非球面である。
（表２）
各種データ
ズーム比（変倍比）    18.00
短焦点距離端          中間焦点距離          長焦点距離端
FNO.            3.6                   5.0                   6.0
f              4.50                 19.00                 81.00
W              44.2                  11.5                   2.7
Y              3.70                  3.88                  3.88
fB             0.59                  0.59                  0.59
L             49.00                 61.93                 72.63
d6            0.400                15.124                27.439
d12          15.920                 5.014                 0.997
d20           5.563                 8.308                18.858
d24           3.807                10.171                 2.024
（表３）
非球面データ（表示していない非球面係数は0.00である）
面番号   K          A4             A6             A8            A10
11     0.000  -0.7322E-04    -0.1316E-04     0.7020E-06    -0.1332E-07
12     0.000  -0.4612E-05    -0.3441E-05     0.3197E-06
14    -1.000  -0.1129E-03     0.6733E-05     0.2654E-06    -0.1777E-06
15     0.000   0.3024E-04     0.1825E-04    -0.2052E-05
21     0.000  -0.1686E-03     0.3030E-04    -0.2347E-05     0.5855E-07
22     0.000   0.2038E-02    -0.1498E-03     0.1536E-05     0.5729E-07
23     0.000   0.1995E-02    -0.1602E-03     0.3426E-05
（表４）
レンズ群データ
群          始面          焦点距離
1              1             40.60
2              7             -5.99
3             14             11.48
4             21             22.97
【００３２】
［数値実施例２］
図１０〜図１８と表５〜表８は、本発明による高変倍ズームレンズ系の数値実施例２を示している。図１０は長焦点距離端における無限遠合焦時のレンズ構成図、図１１はその諸収差図、図１２はその横収差図であり、図１３は中間焦点距離における無限遠合焦時のレンズ構成図、図１４はその諸収差図、図１５はその横収差図であり、図１６は短焦点距離端における無限遠合焦時のレンズ構成図、図１７はその諸収差図、図１８はその横収差図である。表５は面データ、表６は各種データ、表７は非球面データ、表８はレンズ群データである。
【００３３】
この数値実施例２のレンズ構成は、第１レンズ群Ｇ１の正レンズ１２が両凸正レンズである点を除き、数値実施例１のレンズ構成と同様である。
【００３４】
（表５）
面データ
面番号          r          d          N(d)        νｄ
1            36.718      0.850      2.00100       29.1
2            25.114      0.229
3            25.925      3.300      1.43500       95.0
4         -6882.285      0.100
5            25.493      2.650      1.59282       68.6
6           199.262        d6
7            97.320      0.700      1.83481       42.7
8             5.594      2.600
9           -17.397      0.700      1.75500       52.3
10            8.036      0.100
11*           7.275      1.920      1.82115       24.1
12*       -1000.000       d12
13絞           ∞        0.600
14*           7.742      1.280      1.59201       67.0
15*         -49.584      0.100
16            6.842      1.600      1.49700       81.6
17          -16.810      0.650      1.90366       31.3
18          -40.539      0.100
19            8.943      0.600      1.91082       35.2
20            4.195       d20
21*          12.526      2.460      1.54358       55.7
22*         -13.493      0.100
23*         -12.518      0.700      1.60641       27.2
24          -81.176       d24
25             ∞        0.300      1.51680       64.2
26             ∞        0.560
27             ∞        0.500      1.51680       64.2
28             ∞          -
＊は回転対称非球面である。
（表６）
各種データ
ズーム比（変倍比）    18.00
短焦点距離端          中間焦点距離          長焦点距離端
FNO.            3.6                   5.0                   6.0
f              4.50                 19.00                 81.00
W              44.2                  11.5                   2.9
Y              3.70                  3.88                  3.88
fB             0.59                  0.59                  0.59
L             49.13                 62.21                 72.89
d6            0.400                15.220                27.605
d12          15.965                 5.066                 1.051
d20           5.652                 8.434                18.949
d24           3.827                10.200                 2.001
（表７）
非球面データ（表示していない非球面係数は0.00である）
面番号   K          A4             A6             A8            A10
11     0.000  -0.1256E-03    -0.1086E-04     0.6229E-06    -0.1204E-07
12     0.000  -0.2530E-04    -0.1826E-05     0.3070E-06
14    -1.000  -0.9410E-04     0.1106E-04    -0.1277E-05    -0.1310E-06
15     0.000   0.1956E-04     0.1987E-04    -0.3049E-05
21     0.000  -0.1644E-03     0.2742E-04    -0.2153E-05     0.5474E-07
22     0.000   0.1804E-02    -0.1278E-03     0.8715E-06     0.5781E-07
23     0.000   0.1804E-02    -0.1386E-03     0.2779E-05
（表８）
レンズ群データ
群          始面          焦点距離
1              1             40.69
2              7             -5.99
3             14             11.48
4             21             23.27
【００３５】
［数値実施例３］
図１９〜図２７と表９〜表１２は、本発明による高変倍ズームレンズ系の数値実施例３を示している。図１９は長焦点距離端における無限遠合焦時のレンズ構成図、図２０はその諸収差図、図２１はその横収差図であり、図２２は中間焦点距離における無限遠合焦時のレンズ構成図、図２３はその諸収差図、図２４はその横収差図であり、図２５は短焦点距離端における無限遠合焦時のレンズ構成図、図２６はその諸収差図、図２７はその横収差図である。表９は面データ、表１０は各種データ、表１１は非球面データ、表１２はレンズ群データである。
【００３６】
この数値実施例３のレンズ構成は、数値実施例２のレンズ構成と同様である。
【００３７】
（表９）
面データ
面番号          r          d          N(d)        νｄ
1            41.562      0.850      2.00100       29.1
2            27.073      0.250
3            28.703      3.200      1.45860       90.2
4          -397.212      0.100
5            24.461      2.750      1.59282       68.6
6           152.531        d6
7           192.680      0.700      1.83481       42.7
8             5.175      2.600
9           -32.628      0.700      1.75500       52.3
10            7.453      0.100
11*           7.353      1.920      1.82115       24.1
12*       -1000.000       d12
13絞           ∞        0.600
14*           7.563      1.280      1.55332       71.7
15*         -56.223      0.100
16            6.985      1.600      1.48749       70.4
17          -17.726      0.650      2.00069       25.5
18          -39.420      0.100
19            7.924      0.600      1.91082       35.2
20            4.195       d20
21*          13.290      2.460      1.54358       55.7
22*         -12.965      0.100
23*         -11.488      0.700      1.60641       27.2
24          -46.280       d24
25             ∞        0.300      1.51680       64.2
26             ∞        0.560
27             ∞        0.500      1.51680       64.2
28             ∞          -
＊は回転対称非球面である。
（表１０）
各種データ
ズーム比（変倍比）    18.84
短焦点距離端          中間焦点距離          長焦点距離端
FNO.            3.6                   5.1                   6.0
f              4.30                 19.00                 81.00
W              45.5                  11.5                   2.9
Y              3.70                  3.88                  3.88
fB             0.59                  0.59                  0.59
L             49.24                 62.73                 73.00
d6            0.300                15.673                27.842
d12          16.091                 4.829                 0.900
d20           5.322                 8.344                18.769
d24           4.218                10.574                 2.180
（表１１）
非球面データ（表示していない非球面係数は0.00である）
面番号   K          A4             A6             A8            A10
11     0.000  -0.4412E-04    -0.3369E-05    -0.1196E-06    -0.2525E-08
12     0.000  -0.1891E-03    -0.1545E-05    -0.2660E-06
14    -1.000  -0.6681E-04     0.1573E-04    -0.2463E-05    -0.8772E-07
15     0.000   0.1404E-04     0.2323E-04    -0.3687E-05
21     0.000  -0.1759E-03     0.3094E-04    -0.2478E-05     0.6587E-07
22     0.000   0.9488E-03    -0.5478E-04    -0.1253E-05     0.7190E-07
23     0.000   0.1048E-02    -0.7612E-04     0.1250E-05
（表１２）
レンズ群データ
群          始面          焦点距離
1              1             40.44
2              7             -5.93
3             14             11.67
4             21             23.18
【００３８】
［数値実施例４］
図２８〜図３６と表１３〜表１６は、本発明による高変倍ズームレンズ系の数値実施例４を示している。図２８は長焦点距離端における無限遠合焦時のレンズ構成図、図２９はその諸収差図、図３０はその横収差図であり、図３１は中間焦点距離における無限遠合焦時のレンズ構成図、図３２はその諸収差図、図３３はその横収差図であり、図３４は短焦点距離端における無限遠合焦時のレンズ構成図、図３５はその諸収差図、図３６はその横収差図である。表１３は面データ、表１４は各種データ、表１５は非球面データ、表１６はレンズ群データである。
【００３９】
この数値実施例４のレンズ構成は、以下の点を除き、数値実施例２、３のレンズ構成と同様である。
（１）第２レンズ群Ｇ２の負レンズ２１が、その物体側の面が非球面の非球面レンズである。
（２）第２レンズ群Ｇ２の正レンズ２３が、物体側に凸の正メニスカスレンズである。
（３）第３レンズ群Ｇ３が、物体側から順に、両凸正レンズ３１’、及び物体側から順に位置する物体側に凸の正メニスカスレンズ３２’と物体側に凸の負メニスカスレンズ３３’の接合レンズからなる。両凸正レンズ３１’は、その両面が非球面の非球面レンズである。
【００４０】
（表１３）
面データ
面番号          r          d          N(d)        νｄ
1            31.385      0.900      2.00069       25.5
2            23.914      0.193
3            24.169      3.449      1.45860       90.2
4         -5256.652      0.100
5            28.770      2.315      1.59282       68.6
6           100.708        d6
7*           49.725      0.700      1.85135       40.1
8             5.397      2.544
9           -33.259      0.700      1.72916       54.7
10            9.886      0.100
11*           7.759      1.631      2.00272       19.3
12*          19.234       d12
13絞           ∞        0.600
14*           5.603      1.929      1.49700       81.6
15*         -13.345      0.100
16            5.649      0.984      1.51680       64.2
17            6.760      0.500      2.00069       25.5
18            4.108       d18
19*          13.643      2.365      1.54358       55.7
20*         -11.421      0.100
21*         -13.735      0.700      1.60641       27.2
22         -751.067       d22
23             ∞        0.300      1.51680       64.2
24             ∞        0.560
25             ∞        0.500      1.51680       64.2
26             ∞          -
＊は回転対称非球面である。
（表１４）
各種データ
ズーム比（変倍比）    17.79
短焦点距離端          中間焦点距離          長焦点距離端
FNO.            3.6                   5.0                   6.0
f              4.55                 19.00                 81.01
W              43.8                  11.4                   2.9
Y              3.70                  3.88                  3.88
fB             0.59                  0.59                  0.59
L             48.30                 61.60                 72.05
d6            0.406                15.463                27.615
d12          16.172                 5.461                 0.900
d18           6.521                 9.821                18.997
d22           3.343                 8.994                 2.675
（表１５）
非球面データ（表示していない非球面係数は0.00である）
面番号   K          A4             A6             A8            A10
7      0.000   0.5852E-04    -0.4608E-05     0.4828E-07
11     0.000  -0.3453E-03    -0.3329E-04     0.2480E-05    -0.3847E-07
12     0.000  -0.2434E-03    -0.3781E-04     0.3120E-05    -0.5900E-07
14    -1.000  -0.3328E-04    -0.6212E-05     0.4129E-05    -0.3858E-06
15     0.000   0.2419E-03     0.2412E-04    -0.1614E-05
19     0.000  -0.2825E-03     0.4947E-04    -0.4111E-05     0.8523E-07
20     0.000   0.2756E-02    -0.1762E-03     0.1763E-05     0.6352E-07
21     0.000   0.2669E-02    -0.1955E-03     0.4627E-05
（表１６）
レンズ群データ
群          始面          焦点距離
1              1             41.83
2              7             -6.02
3             14             11.19
4             19             22.63
【００４１】
［数値実施例５］
図３７〜図４５と表１７〜表２０は、本発明による高変倍ズームレンズ系の数値実施例５を示している。図３７は長焦点距離端における無限遠合焦時のレンズ構成図、図３８はその諸収差図、図３９はその横収差図であり、図４０は中間焦点距離における無限遠合焦時のレンズ構成図、図４１はその諸収差図、図４２はその横収差図であり、図４３は短焦点距離端における無限遠合焦時のレンズ構成図、図４４はその諸収差図、図４５はその横収差図である。表１７は面データ、表１８は各種データ、表１９は非球面データ、表２０はレンズ群データである。
【００４２】
この数値実施例５のレンズ構成は、第４レンズ群Ｇ４の負レンズ４２が両凹負レンズである点を除き、数値実施例４のレンズ構成と同様である。
【００４３】
（表１７）
面データ
面番号          r          d          N(d)        νｄ
1            34.694      0.900      2.00069       25.5
2            25.793      0.190
3            26.182      3.385      1.45860       90.2
4          -497.744      0.100
5            27.942      2.258      1.59282       68.6
6           104.780        d6
7*           46.389      0.700      1.85135       40.1
8             5.509      2.609
9           -18.124      0.700      1.75500       52.3
10           12.195      0.100
11*           9.172      1.447      2.00272       19.3
12*          34.882       d12
13絞           ∞        0.600
14*           5.498      2.130      1.49700       81.6
15*         -14.126      0.100
16            5.493      0.943      1.51680       64.2
17            6.501      0.500      2.00069       25.5
18            3.992       d18
19*          13.349      2.402      1.54358       55.7
20*         -11.443      0.100
21*         -13.724      0.700      1.60641       27.2
22          412.266       d22
23             ∞        0.300      1.51680       64.2
24             ∞        0.560
25             ∞        0.500      1.51680       64.2
26             ∞          -
＊は回転対称非球面である。
（表１８）
各種データ
ズーム比（変倍比）    17.80
短焦点距離端          中間焦点距離          長焦点距離端
FNO.            3.6                   5.0                   6.0
f              4.55                 19.00                 81.00
W              43.9                  11.4                   2.9
Y              3.70                  3.88                  3.88
fB             0.59                  0.59                  0.59
L             47.99                 61.61                 71.67
d6            0.411                15.525                27.677
d12          16.092                 5.568                 0.900
d18           6.054                 9.728                18.899
d22           3.621                 8.974                 2.381
（表１９）
非球面データ（表示していない非球面係数は0.00である）
面番号   K          A4             A6             A8            A10
7      0.000   0.6047E-04    -0.3864E-05     0.2593E-07
11     0.000  -0.2791E-03    -0.3907E-04     0.2124E-05    -0.3542E-07
12     0.000  -0.1490E-03    -0.4416E-04     0.2706E-05    -0.5900E-07
14    -1.000  -0.2402E-05     0.6571E-05     0.1235E-05    -0.1932E-06
15     0.000   0.2516E-03     0.2655E-04    -0.2084E-05
19     0.000  -0.2113E-03     0.4600E-04    -0.3840E-05     0.8524E-07
20     0.000   0.2789E-02    -0.1753E-03     0.1696E-05     0.6986E-07
21     0.000   0.2649E-02    -0.1939E-03     0.4541E-05
（表２０）
レンズ群データ
群          始面          焦点距離
1              1             41.52
2              7             -6.07
3             14             11.28
4             19             23.33
【００４４】
各数値実施例の各条件式に対する値を表２１に示す。
（表２１）
実施例１     実施例２     実施例３
条件式（１）   2.00100      2.00100      2.00100
条件式（２）      95.0         95.0         90.2
条件式（３）    -0.154       -0.154       -0.154
実施例４     実施例５
条件式（１）   2.00069      2.00069
条件式（２）      90.2         90.2
条件式（３）    -0.153       -0.154
【００４５】
表２１から明らかなように、数値実施例１〜数値実施例５は、条件式（１）〜（３）を満足しており、諸収差図から明らかなように諸収差は比較的よく補正されている。
【符号の説明】
【００４６】
Ｇ１  正の屈折力を持つ第１レンズ群
１１  負レンズ
１２  正レンズ
１３  正レンズ
Ｇ２  負の屈折力を持つ第２レンズ群
２１  負レンズ
２２  負レンズ
２３  正レンズ
Ｇ３  正の屈折力を持つ第３レンズ群
３１  正レンズ
３２  正レンズ
３３  負レンズ
３４  負レンズ
３１’  正レンズ
３２’  正レンズ
３３’  負レンズ
Ｇ４  正の屈折力を持つ第４レンズ群
４１  正レンズ
４２  負レンズ
ＯＰ  光学フィルタ
ＣＧ  カバーガラス
Ｓ  絞り
Ｉ  像面
【図１】
0005485840.tif 000002
【図２】
0005485840.tif 000003
【図３】
0005485840.tif 000004
【図４】
0005485840.tif 000005
【図５】
0005485840.tif 000006
【図６】
0005485840.tif 000007
【図７】
0005485840.tif 000008
【図８】
0005485840.tif 000009
【図９】
0005485840.tif 000010
【図１０】
0005485840.tif 000011
【図１１】
0005485840.tif 000012
【図１２】
0005485840.tif 000013
【図１３】
0005485840.tif 000014
【図１４】
0005485840.tif 000015
【図１５】
0005485840.tif 000016
【図１６】
0005485840.tif 000017
【図１７】
0005485840.tif 000018
【図１８】
0005485840.tif 000019
【図１９】
0005485840.tif 000020
【図２０】
0005485840.tif 000021
【図２１】
0005485840.tif 000022
【図２２】
0005485840.tif 000023
【図２３】
0005485840.tif 000024
【図２４】
0005485840.tif 000025
【図２５】
0005485840.tif 000026
【図２６】
0005485840.tif 000027
【図２７】
0005485840.tif 000028
【図２８】
0005485840.tif 000029
【図２９】
0005485840.tif 000030
【図３０】
0005485840.tif 000031
【図３１】
0005485840.tif 000032
【図３２】
0005485840.tif 000033
【図３３】
0005485840.tif 000034
【図３４】
0005485840.tif 000035
【図３５】
0005485840.tif 000036
【図３６】
0005485840.tif 000037
【図３７】
0005485840.tif 000038
【図３８】
0005485840.tif 000039
【図３９】
0005485840.tif 000040
【図４０】
0005485840.tif 000041
【図４１】
0005485840.tif 000042
【図４２】
0005485840.tif 000043
【図４３】
0005485840.tif 000044
【図４４】
0005485840.tif 000045
【図４５】
0005485840.tif 000046
【図４６】
0005485840.tif 000047